(57)【要約】【課題】排液バッグの排液槽に貯留された排液の液面のレベルや排液バッグの重量を計測することなく、排液槽に貯留された排液の時間的変化を記録することを容易に実現できる排液処理システムを提供する。【解決手段】排液処理システム１Ａは、排液Ｌｄが貯留される排液槽７を有する排液バッグ３を備える。排液バッグ３は、排液槽７を第１空間７Ａと第２空間７Ｂとに区画し、かつ底部８付近にてこれら空間を連通させる区画壁１０と、吸引ポンプ４の負圧が供給される吸引ポート１２と、排液Ｌｄが流入し第１空間７Ａに連通する排液ポート１３と、第２空間７Ｂに連通し内部の圧力を測定可能な圧力測定ポート１４とを有する。排液処理システム１Ａは第１空間７Ａ内の圧力と第２空間７Ｂ内の圧力との圧力差に基づいて排液槽７に貯留された排液Ｌｄの量を算出する。【選択図】図１
2019025230.tif 000002
【特許請求の範囲】
【請求項１】
患者から排出された排液が貯留される排液槽を有し、前記排液槽が底部及び天井部にて閉じられた排液バッグを備えた排液処理システムにおいて、
前記排液バッグは、前記排液槽を第１空間と第２空間とに区画するように前記天井部から前記底部付近まで上下方向に延びることにより、前記底部付近にて前記第１空間と前記第２空間とを連通させる区画壁と、前記排液が流入し前記第１空間に連通する排液ポートとを更に有し、
前記第１空間内の圧力と前記第２空間内の圧力との圧力差に基づいて、前記排液槽に貯留された前記排液の量を算出する算出手段を更に備えることを特徴とする排液処理システム。
【請求項２】
前記排液バッグは、吸引源が発生源である負圧を前記第１空間に供給する負圧供給手段と、前記第２空間に連通し前記第２空間内の圧力を測定可能な圧力測定ポートと、を更に有する請求項１に記載の排液処理システム。
【請求項３】
前記第１空間内の圧力を取得する第１圧力取得手段と、前記第２空間内の圧力を取得する第２圧力取得手段と、を更に備え、
前記算出手段は、前記第１圧力取得手段が取得した前記第１空間内の圧力と前記第２圧力取得手段が取得した前記第２空間内の圧力とに基づいて前記圧力差を算出する請求項２に記載の排液処理システム。
【請求項４】
前記負圧供給手段として、前記第１空間に連通し前記吸引源が接続される吸引ポートが設けられ、前記第１圧力取得手段として、前記吸引源と前記吸引ポートとの間の圧力を測定する第１圧力センサが設けられ、前記第２圧力取得手段として、前記圧力測定ポートに接続された第２圧力センサが設けられている請求項３に記載の排液処理システム。
【請求項５】
前記負圧供給手段として、前記第１空間に連通し、かつ液体が収められた水封槽と、前記水封槽に連通し前記吸引源が接続される吸引ポートと、が設けられ、前記第１圧力取得手段として、前記第１空間内の圧力を測定する第１圧力センサ又は前記吸引ポートに接続された第３圧力センサが設けられている請求項３に記載の排液処理システム。
【請求項６】
前記排液バッグは、前記第１空間を大気に開放する状態と前記第１空間を閉鎖する状態とを切り替え可能なベントを更に有する請求項１に記載の排液処理システム。
【請求項７】
前記第１空間内の圧力と前記第２空間内の圧力との圧力差を測定する差圧センサを更に備え、
前記演算手段は、前記差圧センサが測定した前記圧力差に対して前記第１空間の横断面積と排液の密度とを乗じて前記区画壁の下端よりも上側の前記第１空間に存在する排液の量を算出し、その算出結果に基づいて前記排液槽に貯留された前記排液の量を算出する請求項１に記載の排液処理システム。
【請求項８】
前記排液槽の前記底部は、前記第１空間に対応し前記区画壁の下端と高さが合わせられた高底部と、前記第２空間に対応し前記高底部よりも低い位置に設けられた低底部とを有する請求項１〜７のいずれか一項に記載の排液処理システム。
【発明の詳細な説明】
【技術分野】
【０００１】
本発明は、患者から排出された体液等の排液を貯留する排液バッグを備えた排液処理システムに関する。
【背景技術】
【０００２】
例えば、心臓や消化器系の手術後において、患者の各種器官に留置したドレーンチューブを硬質な素材で構成された排液バッグに接続し、患部に溜まった血液等の体液を排液バックに貯留する処置が施されることがある。また、胸部外科手術後においては、胸腔内に留置したドレーンチューブと吸引ポンプとを排液バッグにそれぞれ接続して患者の胸腔に溜まった血液等の体液を吸引する処置が施される。
【０００３】
このような排液バッグには、患者から排出された体液である排液を貯留する排液槽が設けられており、排液槽に貯留された排液の状態を目視で確認できるように、排液バッグは透明な素材で構成されている。そして、排液槽には目盛りが記載されていて貯留された排液の量を把握することができる。
【発明の概要】
【発明が解決しようとする課題】
【０００４】
従来の排液バッグの場合、観察時点で排液槽に貯留された排液の量を目視で確認できるにすぎない。このため、その量の時間的変化を把握するために排液槽に貯留された排液の液面位置に観察者が日時を書き込んで対処することが多かった。この時間的変化を自動的に記録するため、排液槽にレベルセンサを設けて液面レベルを測定し、その測定結果を逐次記憶する処理をコンピュータに実施させることが考えられる。しかし、レベルセンサは比較的高価であるし、液面に泡が溜まっている場合にはレベルセンサの測定精度が悪化するおそれがある。また、排液が貯留された排液バッグの重量を重量センサによって測定し、その測定結果を逐次記憶する処理をコンピュータに実施させることも考えられる。しかし、排液バッグにはドレーンチューブや吸引ポンプ等が接続されるので、これらの荷重の影響を受けて測定精度が悪化するおそれがある。
【０００５】
そこで、本発明は、排液バッグの排液槽に貯留された排液の液面のレベルや排液バッグの重量を計測することなく、排液槽に貯留された排液の量の時間的変化を記録することを容易に実現できる排液処理システムを提供することを目的とする。
【課題を解決するための手段】
【０００６】
本発明の排液処理システムは、患者から排出された排液（Ｌｄ）が貯留される排液槽（７、２２、３２、４２）を有し、前記排液槽が底部（８、２４、３５、４３）及び天井部（９、２５、３６、４４）にて閉じられた排液バッグ（３、２１、３１、４１）を備えた排液処理システム（１Ａ、１Ｂ、１Ｃ、１Ｄ）において、前記排液バッグは、前記排液槽を第１空間（７Ａ、２２Ａ、３２Ａ、４２Ａ）と第２空間（７Ｂ、２２Ｂ、３２Ｂ、４２Ｂ）とに区画するように前記天井部から前記底部付近まで上下方向に延びることにより、前記底部付近にて前記第１空間と前記第２空間とを連通させる区画壁（１０、２６、３７、４５）と、前記排液が流入し前記第１空間に連通する排液ポート（１３、２８、３９、４７）とを更に有し、前記第１空間内の圧力と前記第２空間内の圧力との圧力差に基づいて、前記排液槽に貯留された前記排液の量を算出する算出手段（５）を更に備えるものである。
【０００７】
この排液処理システムによれば、排液バッグの排液槽が区画壁によって第１空間と第２空間とに区画され、かつ排液槽の底部付近にてこれらの空間が連通する。排液ポートから排液が流入して排液槽に貯留された排液の量が増加してゆくと、排液の液面が区画壁の下端に達する前は第１空間と第２空間とは同じ圧力であるが、排液の液面が区画壁の下端に達すると連通部分が排液に満たされて第２空間が密閉された状態となる。さらに貯留される排液の量が増加すると第１空間と第２空間との間に圧力差が生じ、排液の量の増加に従ってその圧力差が比例して増加する。この圧力差は、第１空間における排液の液面と第２空間における排液の液面との間の液面差として反映される。つまり、排液を水と仮定した場合、この液面差は水頭圧に相当する。したがって、この圧力差に基づいて液面差を算出できる。すなわち、この液面差に第１空間の横断面積と排液の密度とを乗じることにより、区画壁の下端よりも上側の第１空間内に存在する排液の量（体積）を算出できる。区画壁の下端よりも下側に存在する排液の量は予め特定可能な一定値である。したがって、液面差に基づいて算出された上記排液の量に対して、この一定値を加算することにより排液槽に貯留された排液の量を算出できる。このように、排液バッグの排液槽に貯留された排液の量を第１空間と第２空間との間の圧力差に基づいて算出できるから、排液槽に貯留された排液の液面のレベルや排液バッグの重量を計測することなく、排液槽に貯留された排液の量の時間的変化を記録することを容易に実現できる。
【０００８】
本発明の排液処理システムの一態様において、前記排液バッグは、吸引源（４、Ａｓｐ）が発生源である負圧を前記第１空間に供給する負圧供給手段（１２、２３及び２７、３３及び３８）と、前記第２空間に連通し前記第２空間内の圧力を測定可能な圧力測定ポート（１４、２９、４０、４８）と、を更に有してもよい。例えば、患者の胸腔から体液を排出させる場合は吸引することが必要となるが、この態様においては第１空間を負圧にして排液槽に排液を導くことができる。
【０００９】
第１空間内の圧力と第２空間内の圧力との圧力差はどのように取得しても構わない。例えば、前記第１空間内の圧力を取得する第１圧力取得手段（１５Ａ）と、前記第２空間内の圧力を取得する第２圧力取得手段（１５Ｂ）と、を更に備え、前記算出手段は、前記第１圧力取得手段が取得した前記第１空間内の圧力と前記第２圧力取得手段が取得した前記第２空間内の圧力とに基づいて前記圧力差を算出してもよい。
【００１０】
負圧供給手段、第１圧力取得手段、及び第２圧力取得手段のそれぞれは適宜の構成を採用できる。例えば、前記負圧供給手段として、前記第１空間に連通し前記吸引源が接続される吸引ポート（１２）が設けられ、前記第１圧力取得手段として、前記吸引源と前記吸引ポートとの間の圧力を測定する第１圧力センサ（１５Ａ）が設けられ、前記第２圧力取得手段として、前記圧力測定ポートに接続された第２圧力センサ（１５Ｂ）が設けられてもよい。また、前記負圧供給手段として、前記第１空間に連通し、かつ液体（Ｌ）が収められた水封槽（２３、３３）と、前記水封槽に連通し前記吸引源が接続される吸引ポート（２７、３８）と、が設けられ、前記第１圧力取得手段として、前記第１空間内の圧力を測定する第１圧力センサ（１５Ａ）又は前記吸引ポートに接続された第３圧力センサ（１５Ｃ）が設けられてもよい。
【００１１】
本発明の一態様において、前記排液バッグは、前記第１空間を大気に開放する状態と前記第１空間を閉鎖する状態とを切り替え可能なベント（４６）を更に有してもよい。排液バッグのベントによって第１空間を開放することにより排液槽を大気圧に保持できるので、例えば、心臓や消化器系の手術後において、排液を排液槽にスムーズに導くことができる。
【００１２】
本発明の一態様において、前記第１空間内の圧力と前記第２空間内の圧力との圧力差を測定する差圧センサ（５０）を更に備え、前記演算手段は、前記差圧センサが測定した前記圧力差に対して前記第１空間の横断面積と排液の密度とを乗じて前記区画壁の下端よりも上側の前記第１空間に存在する排液の量を算出し、その算出結果に基づいて前記排液槽に貯留された前記排液の量を算出してもよい。この態様によれば、第１空間内の圧力と第２空間内の圧力との圧力差を直接測定し、その測定結果を排液槽に貯留された排液の量の算出に利用することができる。
【００１３】
本発明の排液処理システムの一態様において、前記排液槽の前記底部は、前記第１空間に対応し前記区画壁の下端と高さが合わせられた高底部（８ａ）と、前記第２空間に対応し前記高底部よりも低い位置に設けられた低底部（８ｂ）とを有してもよい。この態様によれば、高底部と低底部との間に高低差が存在し、区画壁の下端に達する前には低底部側のみに排液が貯留される。したがって、その高低差を適宜調整することにより、区画壁の下端に達する前に排液槽の底部全体に排液が貯留される態様に比べて、区画壁の下端に達する前に貯留される排液の量を少なくできる。これにより、この排液の量を加算することによる誤差を低減できる。
【００１４】
なお、以上の説明では本発明の理解を容易にするために添付図面の参照符号を括弧書きにて付記したが、それにより本発明が図示の形態に限定されるものではない。
【発明の効果】
【００１５】
以上説明したように、本発明によれば、排液バッグの排液槽に貯留された排液の量を第１空間と第２空間との間の圧力差に基づいて算出できるから、排液槽に貯留された排液の液面のレベルや排液バッグの重量を計測することなく、排液槽に貯留された排液の量の時間的変化を記録することを容易に実現できる。
【図面の簡単な説明】
【００１６】
【図１】本発明の第１の形態に係る排液処理システムを模式的に示した図。
【図２】本発明の第２の形態に係る排液処理システムを模式的に示した図。
【図３】本発明の第３の形態に係る排液処理システムを模式的に示した図。
【図４】本発明の第４の形態に係る排液処理システムを模式的に示した図。
【図５】差圧センサを設けた変形例を模式的に示した説明図。
【発明を実施するための形態】
【００１７】
（第１の形態）
図１に示したように、排液処理システム１Ａは、吸引源を内蔵する電動式吸引器として構成されており、例えば、胸部外科手術後の患者や気胸の治療中の患者の胸腔に留置したドレーンチューブ２と、そのドレーンチューブ２に接続された排液バッグ３と、吸引回路６を介して排液バッグ３に接続された吸引源としての吸引ポンプ４と、吸引ポンプ４等の各部を制御したり必要な演算処理を実行したりする演算ユニット５とを備えている。
【００１８】
排液バッグ３は吸引された患者の体液である排液Ｌｄを貯留する排液槽７を有している。排液槽７は底部８及び天井部９にて閉じられている。底部８には一例として階段状に高低差が設けられている。排液槽７は区画壁１０にて第１空間７Ａと第２空間７Ｂとに区画されている。区画壁１０は天井部９から底部８付近まで上下方向（図の上下方向）に延びることにより、底部８付近にて第１空間７Ａと第２空間７Ｂとを連通させる。区画壁１０の下端１０ａは底部８と非接触となっている。底部８は、区画壁１０の下端１０ａと高さが合わせられた高底部８ａと、高底部８ａよりも低い位置に設けられた低底部８ｂとを有する。高底部８ａは第１空間７Ａに対応し、低底部８ｂは第２空間７Ｂに対応する。
【００１９】
排液バッグ３には、吸引回路６の接続位置に設けられて排液槽７の第１空間に連通する吸引ポート１２と、ドレーンチューブ２の接続位置に設けられて排液槽７の第１空間７Ａに連通する排液ポート１３と、排液槽７の第２空間７Ｂに連通し第２空間７Ｂ内の圧力を測定可能な圧力測定ポート１４と、第１空間７Ａ内の圧力を取得する第１圧力取得手段の一例としての第１圧力センサ１５Ａと、第２空間７Ｂ内の圧力を取得する第２圧力取得手段の一例としての第２圧力センサ１５Ｂとを有している。吸引ポート１２は吸引ポンプ４が発生源である負圧を第１空間７Ａに供給する負圧供給手段の一例として機能する。排液ポート１３はドレーンチューブ２が接続されることにより排液Ｌｄを第１空間７Ａに流入させる。第１圧力センサ１５Ａは吸引回路６に接続されていて吸引ポンプ４と吸引ポート１２との間の圧力を測定する。第２圧力センサ１５Ｂは圧力測定ポート１４に接続されていて第２空間７Ｂ内の圧力を測定する。
【００２０】
演算ユニット５は一例としてコンピュータとして構成されている。演算ユニット５は、所定のプログラムを実行するとともに、第１圧力センサ１５Ａ及び第２圧力センサ１５Ｂの各信号を参照することによって排液槽７に貯留された排液の量を算出する。排液槽７に貯留された排液Ｌｄの量が増加してゆくと、排液Ｌｄの液面が区画壁１０の下端１０ａに達する前は第１空間７Ａと第２空間７Ｂとは同じ圧力であるが、排液Ｌｄの液面が区画壁１０の下端１０ａに達すると連通部分が排液に満たされて第２空間７Ｂが密閉された状態となる。さらに貯留される排液Ｌｄの量が増加すると第１空間７Ａと第２空間７Ｂとの間に圧力差が生じ、排液Ｌｄの量の増加に従ってその圧力差が比例して増加する。この圧力差は、第１空間７Ａにおける排液Ｌｄの液面Ｐ１の高さと第２空間７Ｂにおける排液Ｌｄの液面Ｐ２の高さとの間の液面差Δｈとして反映される。つまり、排液Ｌｄを水と仮定した場合、この液面差Δｈは水頭圧に相当する。したがって、この圧力差に基づいて液面差Δｈを算出できる。
【００２１】
そこで、演算ユニット５は、次式１に基づいて液面差Δｈを算出するとともに、次式２に基づいて液面差Δｈに第１空間７Ａの横断面積Ｓと排液の密度ρとを乗じることにより、区画壁１０の下端１０ａよりも上側の非ハッチング領域に存在する排液の量（体積）Ｖａを算出する。
【００２２】
Δｈ［ｃｍ］＝ＰＡ−ＰＢ        ……１
ここで、ＰＡは第１空間７Ａ内の圧力［ｃｍＨ２Ｏ］であり、ＰＢは第２空間７Ｂ内の圧力［ｃｍＨ２Ｏ］である。
【００２３】
Ｖａ［ｃｍ３］＝Δｈ×Ｓ×ρ    ……２
【００２４】
区画壁１０の下端１０ａよりも下側のハッチング領域に存在する排液の量Ｖｂは予め特定可能な一定値である。したがって、演算ユニット５は次式３に基づいて、排液槽７に貯留された排液の量ＬＶを算出し、その算出結果を所定の記憶手段に時間と関連付けて記憶する。これにより、演算ユニット５は本発明の算出手段の一例として機能する。なお、演算ユニット５は記憶した算出結果を必要に応じて所定の出力手段に出力させる。
【００２５】
ＬＶ＝Ｖａ＋Ｖｂ              ……３
【００２６】
このように、排液バッグ３の排液槽７に貯留された排液の量ＬＶを第１空間７Ａ内の圧力と第２空間７Ｂ内の圧力との間の圧力差に基づいて算出できるから、排液槽７に貯留された排液Ｌｄの液面のレベルや排液バッグ３の重量を計測することなく、排液槽７に貯留された排液Ｌｄの量ＬＶの時間的変化を記録することを容易に実現できる。
【００２７】
また、第１の形態によれば、排液槽７の底部８において高底部８ａと低底部８ｂとの間に一例として階段状の高低差が存在し、区画壁１０の下端１０ａに達する前には低底部８ｂ側のみに排液Ｌｄが貯留される。したがって、その高低差を適宜調整することにより、区画壁１０の下端１０ａに達する前に底部８全体に排液が貯留される態様に比べて、区画壁１０の下端１０ａに達する前に貯留される排液Ｌｄの量Ｖｂを少なくできる。これにより、この排液の量Ｖｂを加算することによる誤差を低減できる。
【００２８】
（第２の形態）
次に、図２を参照しながら本発明の第２の形態を説明する。なお、以下の説明において、第１の形態と共通の構成には図面に同一の参照符号を付して説明を省略ないし簡略化する。第２の形態の排液処理システム１Ｂは電動式吸引器として構成されていてドレーンチューブ２が接続された排液バッグ２１を備えている。排液バッグ２１は排液Ｌｄを貯留する排液槽２２と、この排液槽２２に連通する水封槽２３とを有している。排液槽２２は底部２４及び天井部２５にて閉じられていて、底部２４及び天井部２５のそれぞれは同一高さで水封槽２３と共通である。また、排液槽２２は区画壁２６にて第１空間２２Ａと第２空間２２Ｂとに区画される。区画壁２６は天井部２５から底部２４付近まで上下方向に延びることにより、底部２４付近にて第１空間２２Ａと第２空間２２Ｂとを連通させる。水封槽２３は水等の液体Ｌが収められていて患者側への外気の逆流を防止するために設けられている。
【００２９】
排液バッグ２１には、水封槽２３に連通し吸引回路６を介して吸引ポンプ４が接続される吸引ポート２７と、ドレーンチューブ２の接続位置に設けられて排液槽２２の第１空間２２Ａに連通する排液ポート２８と、排液槽２２の第２空間２２Ｂに連通し第２空間２２Ｂ内の圧力を測定可能な圧力測定ポート２９と、第１空間２２Ａ内の圧力を取得する第１圧力取得手段の一例としての第１圧力センサ１５Ａと、第２空間２２Ｂ内の圧力を取得する第２圧力取得手段の一例としての第２圧力センサ１５Ｂと、吸引ポート２７に吸引回路６を介して接続され、吸引ポンプ４の制御に使用される第３圧力センサ１５Ｃと、を有している。水封槽２３と吸引ポート２７とは吸引ポンプ４が発生源である負圧を第１空間２２Ａに供給する負圧供給手段の一例として機能する。排液ポート２８はドレーンチューブ２が接続されることにより排液Ｌｄを第１空間２２Ａに流入させる。
【００３０】
演算ユニット５は、第１の形態と同様に、式１〜式３に基づいて排液槽２２に貯留された排液の量ＬＶを算出する。すなわち、演算ユニット５は、第１空間２２Ａ内の圧力と第２空間２２Ｂ内の圧力との圧力差に基づいて液面差Δｈを算出する。そして、その液面差Δｈに対して第１空間２２Ａの横断面積Ｓと排液Ｌｄの密度とを乗じることにより、区画壁２６の下端２６ａよりも上側の非ハッチング領域に存在する排液の量Ｖａを算出する。そして、その排液の量Ｖａに下端２６ａよりも下側のハッチング領域に存在する排液の量Ｖｂを加算することにより、排液槽２２に貯留された排液の量ＬＶを算出し、その算出結果を所定の記憶手段に時間と関連付けて記憶する。これにより、演算ユニット５は本発明に係る算出手段の一例と機能する。なお、演算ユニット５は記憶した算出結果を必要に応じて所定の出力手段に出力させる。
【００３１】
第２の形態によれば、第１の形態と同様に、排液バッグ２１の排液槽２２に貯留された排液の量ＬＶを第１空間２２Ａと第２空間２２Ｂとの間の圧力差に基づいて算出できるから、排液槽２２に貯留された排液Ｌｄの液面のレベルや排液バッグ２１の重量を計測することなく、排液槽２２に貯留された排液Ｌｄの時間的変化を記録することを容易に実現できる。
【００３２】
なお、第２の形態を、第１圧力センサ１５Ａを省略した形態に変更し、吸引ポート２７に接続された第３圧力センサ１５Ｃを本発明に係る第１圧力取得手段の一例として機能させることもできる。水封槽２３の水頭圧を考慮することによって第３圧力センサ１５Ｃが測定する圧力に基づいて第１空間２２Ａ内の圧力を算出できるからである。
【００３３】
（第３の形態）
次に、図３を参照しながら本発明の第３の形態を説明する。なお、以下の説明において、第１の形態と共通の構成には図面に同一の参照符号を付して説明を省略ないし簡略化する。第３の形態の排液処理システム１Ｃはドレーンチューブ２が接続された排液バッグ３１を備えている。排液バッグ３１は排液Ｌｄを貯留する排液槽３２と、この排液槽３２に連通する水封槽３３と、水封槽３３と連通しかつ大気開放された調圧槽３４とを有している。排液槽３２は底部３５及び天井部３６にて閉じられており、底部３５及び天井部３６は水封槽３３及び調圧槽３４と共通である。また、排液槽３２は区画壁３７にて第１空間３２Ａと第２空間３２Ｂとに区画される。区画壁３７は天井部３６から底部３５付近まで上下方向に延びることにより底部３５付近にて第１空間３２Ａと第２空間３２Ｂとを連通させる。水封槽３３は水等の液体Ｌが収められていて患者側への外気の逆流を防止するために設けられている。調圧槽３４には水等の液体Ｌ′が収められている。
【００３４】
排液バッグ３１には、水封槽３３に連通し吸引回路６を介して壁掛け式の吸引器Ａｓｐが接続される吸引ポート３８と、ドレーンチューブ２の接続位置に設けられて排液槽３２の第１空間３２Ａに連通する排液ポート３９と、排液槽３２の第２空間３２Ｂに連通し第２空間３２Ｂ内の圧力を測定可能な圧力測定ポート４０と、第１空間３２Ａ内の圧力を取得する第１圧力取得手段の一例としての第１圧力センサ１５Ａと、第２空間３２Ｂ内の圧力を取得する第２圧力取得手段の一例としての第２圧力センサ１５Ｂと、を有している。水封槽３３と吸引ポート３８とは吸引器Ａｓｐが発生源である負圧を第１空間３２Ａに供給する負圧供給手段の一例として機能する。排液ポート３９はドレーンチューブ２が接続されることにより排液Ｌｄを第１空間３２Ａに流入させる。
【００３５】
演算ユニット５は、第１の形態と同様に、式１〜式３に基づいて排液槽３２に貯留された排液の量ＬＶを算出する。すなわち、演算ユニット５は、第１空間３２Ａ内の圧力と第２空間３２Ｂ内の圧力との圧力差に基づいて液面差Δｈを算出する。そして、その液面差Δｈに対して第１空間３２Ａの横断面積Ｓと排液Ｌｄの密度とを乗じることにより、区画壁３７の下端３７ａよりも上側の非ハッチング領域に存在する排液の量Ｖａを算出する。そして、その排液の量Ｖａに対して下端３７ａよりも下側のハッチング領域に存在する排液の量Ｖｂを加算することにより、排液槽３２に貯留された排液の量ＬＶを算出し、その算出結果を所定の記憶手段に時間と関連付けて記憶する。これにより、演算ユニット５は本発明に係る算出手段の一例と機能する。なお、演算ユニット５は記憶した算出結果を必要に応じて所定の出力手段に出力させる。
【００３６】
第３の形態によれば、第１の形態と同様に、排液バッグ３１の排液槽３２に貯留された排液の量ＬＶを第１空間３２Ａと第２空間３２Ｂとの間の圧力差に基づいて算出できるから、排液槽３２に貯留された排液Ｌｄの液面のレベルや排液バッグ３１の重量を計測することなく、排液槽３２に貯留された排液Ｌｄの量ＬＶの時間的変化を記録することを容易に実現できる。
【００３７】
（第４の形態）
次に、図４を参照しながら本発明の第４の形態を説明する。なお、以下の説明において、第１の形態と共通の構成には図面に同一の参照符号を付して説明を省略ないし簡略化する。第４の形態の排液処理システム１Ｄはドレーンチューブ２が接続された排液バッグ４１を備えている。排液バッグ４１は排液Ｌｄを貯留する排液槽４２を有している。排液槽４２は、底部４３及び天井部４４にて閉じられている。また、排液槽４２は区画壁４５にて第１空間４２Ａと第２空間４２Ｂとに区画される。区画壁４５は天井部４４から底部４３付近まで上下方向に延びることにより底部４３付近にて第１空間４２Ａと第２空間４２Ｂとを連通させる。
【００３８】
排液バッグ４１には、第１空間４２Ａを大気に開放する状態と第１空間４２Ａを閉鎖する状態とを切り替え可能なベント４６と、ドレーンチューブ２の接続位置に設けられて排液槽４２の第１空間４２Ａに連通する排液ポート４７と、排液槽４２の第２空間４２Ｂに連通し第２空間４２Ｂ内の圧力を測定可能な圧力測定ポート４８と、第１空間４２Ａ内の圧力を取得する第１圧力取得手段の一例としての第１圧力センサ１５Ａと、第２空間４２Ｂ内の圧力を取得する第２圧力取得手段の一例としての第２圧力センサ１５Ｂと、を有している。排液ポート４７はドレーンチューブ２が接続されることにより排液Ｌｄを第１空間４２Ａに流入させる。
【００３９】
演算ユニット５は、第１の形態と同様に、式１〜式３に基づいて排液槽４２に貯留された排液の量ＬＶを算出する。すなわち、演算ユニット５は、第１空間４２Ａ内の圧力と第２空間４２Ｂ内の圧力との圧力差に基づいて液面差Δｈを算出する。そして、その液面差Δｈに対して第１空間４２Ａの横断面積Ｓと排液Ｌｄの密度とを乗じることにより、区画壁４５の下端４５ａよりも上側の非ハッチング領域に存在する排液の量Ｖａを算出する。そして、その排液の量Ｖａに対して下端４５ａよりも下側のハッチング領域に存在する排液の量Ｖｂを加算することにより、排液槽４２に貯留された排液の量ＬＶを算出し、その算出結果を所定の記憶手段に時間と関連付けて記憶する。これにより、演算ユニット５は本発明に係る算出手段の一例と機能する。なお、演算ユニット５は記憶した算出結果を必要に応じて所定の出力手段に出力させる。
【００４０】
第４の形態によれば、第１の形態と同様に、排液バッグ４１の排液槽４２に貯留された排液Ｌｄの量ＬＶを第１空間４２Ａと第２空間４２Ｂとの間の圧力差に基づいて算出できるから、排液槽４２に貯留された排液Ｌｄの液面のレベルや排液バッグ４１の重量を計測することなく、排液槽４２に貯留された排液Ｌｄの量ＬＶの時間的変化を記録することを容易に実現できる。
【００４１】
本発明は上記各形態に限定されず、本発明の要旨の範囲内において種々の形態にて実施できる。上記各形態の排液槽は、その横断面積が上下方向に関して一定となる構成であるが、上下方向に関して横断面積が変化する構成となる形態で本発明を実施することもできる。この形態の場合は、横断面積を高さの関数として表現し、液面差Δｈの範囲で積分することにより区画壁の下端よりも上側の排液の量を算出できる。
【００４２】
また、上記各形態では、第１圧力センサ及び第２圧力センサによって第１空間内の圧力と第２空間内の圧力とをそれぞれ測定してこれらの圧力差を算出している。しかしながら、図５に示すように、第１圧力センサ及び第２圧力センサの代わりに、その圧力差を直接測定できる差圧センサ５０を設け、その測定結果に基づいて排液Ｌｄの量ＬＶを算出する形態に上記各形態を変更することもできる。
【００４３】
この場合、例えば、演算ユニット５は、上記の圧力差ΔＰを差圧センサ５０の出力信号に基づいて取得し、上記式１及び式２の代わりに下記の式４を使用して下端４５ａよりも上側の排液Ｌｄの量Ｖａを算出する。そして、式３に基づいて排液Ｌｄの量ＬＶを算出する。これにより、演算ユニット５は本発明に係る算出手段の一例として機能する。この変形例によれば、第１空間内の圧力と第２空間内の圧力との圧力差を直接測定し、その測定結果を排液槽に貯留された排液の量の算出に利用することができる。なお、図５の変形例は、第１の形態を変更したものであるが、第２〜第４の各形態においても、各圧力センサ１５Ａ、１５Ｂの代わりに差圧センサ５０を設ける形態に変更することができる。
【００４４】
Ｖａ［ｃｍ３］＝ΔＰ×Ｓ×ρ    ……４
【符号の説明】
【００４５】
１Ａ〜１Ｄ  排液処理システム
４  吸引ポンプ（吸引源）
５  演算ユニット（算出手段）
３、２１、３１、４１  排液バッグ
７、２２、３２、４２  排液槽
７Ａ、２２Ａ、３２Ａ、４２Ａ  第１空間
７Ｂ、２２Ｂ、３２Ｂ、４２Ｂ  第２空間
８、２４、３５、４３  底部
９、２５、３６、４４  天井部
１０、２６、３７、４５  区画壁
１０ａ、２６ａ、３７ａ、４５ａ  区画壁の下端
１２、２７、３８  吸引ポート（負圧供給手段）
１３、２８、３９、４７  排液ポート
１４、２９、４０、４８  圧力測定ポート
２３、３３  水封槽（負圧供給手段）
Ａｓｐ  吸引器
【図１】
2019025230.tif 000003
【図２】
2019025230.tif 000004
【図３】
2019025230.tif 000005
【図４】
2019025230.tif 000006
【図５】
2019025230.tif 000007